(57)【特許請求の範囲】
【請求項１】
外枠を構成するボディ（１）と、そのボディ（１）の内部空間である中空部（２）と、その中空部（２）内を前後移動することによって重心を変化させうるウエイトボール（３）と、前記中空部（２）の前端近傍に軸止された変形可能なリング（７）と、前記リング（７）の後方への回動を制限する止めピン（９）とを具備してなり、後方へ移動しようとする前記ウエイトボール（３）から加えられる力が小さければ前記止めピン（９）により後方への回動を阻止されたリング（７）が前記ウエイトボール（３）の後方への移動を阻止し、後方へ移動しようとする前記ウエイトボール（３）から加えられる力が大きければ前記ウエイトボール（３）と前記止めピン（９）の間で前記リング（７）が変形して前記ウエイトボール（３）を後方へ通過させ、前方へ移動しようとする前記ウエイトボール（３）から力が加えられれば前記リング（７）が前方へ回動して前記ウエイトボール（３）を前方へ通過させることを特徴とするルアー（１００）。
【請求項２】
請求項１に記載のルアー（１００）において、前記リング（７）が軟質合成樹脂製であり、前記ウエイトボール（３）がタングステン製であることを特徴とするルアー（１００）。
【発明の詳細な説明】
【０００１】
【発明の属する技術分野】
本発明は、ルアー（擬似餌）に関し、さらに詳しくは、リトリーブ（ルアーを引いてくる動作）時にウエイトボールを前方位置に確実に保持しうると共に磁石に吸着されない材料製のウエイトボールを使うことが出来るルアーに関する。
【０００２】
【従来の技術】
図６は、従来のルアーの一例の模式図である。
このルアー５００は、外枠を構成するボディ５１と、そのボディ５１の内部空間である中空部５２と、その中空部５２内を前後移動することによって重心を変化させうるウエイトボール５３と、釣り針であるフック５４と、水流抵抗板であるリップ５５と、ライン（釣り糸）を前端に結ぶためのアイレット５６とを具備してなる。
【０００３】
前記ルアー５００をラインに取り付け、キャスティング（目標に向かってルアーを投げる動作）すると、前記ルアー５００の後端が先になって、目標とするポイントへ飛んでいく。このとき、前記ルアー５００に働く遠心力により、前記ウエイトボール５３を前記中空部５２の後方へ移動させる大きな力が生じる。そこで、前記ウエイトボール５３が、前記中空部５２の前端に設けられた段差５２ａに落ち込んでいる場合は段差５２ａを乗り越えて、また、前記段差５２ａに落ち込んでいない場合はそのまま抵抗無く、後方へ移動する。これにより、飛んでいく先の方へ重心が移動し、コントロール良く遠方へキャスティングできる。
リトリーブ時には、前記ルアー５００が縦揺れや横揺れするので、前記ウエイトボール５３が、後方から前方へころがって、前記段差５２ａに落ち込む。これにより、前の方へ重心が移動するので、前記ルアー５００が、尾を振るような動きをし、魚を引きつける。
【０００４】
図７は、従来のルアーの他例の模式図である。
このルアー６００は、外枠を構成するボディ６１と、そのボディ６１の内部空間である中空部６２と、その中空部６２内を前後移動することによって重心を変化させうるウエイトボール６３と、釣り針であるフック６４と、水流抵抗板であるリップ６５と、ライン（釣り糸）を前端に結ぶためのアイレット６６と、前記ウエイトボール６３を磁力で吸着しうるマグネット６７とを具備してなる。
【０００５】
前記ルアー６００をラインに取り付け、キャスティングすると、前記ルアー６００の後端が先になって、目標とするポイントへ飛んでいく。このとき、前記ルアー６００に働く遠心力により、前記ウエイトボール６３を前記中空部６２の後方へ移動させる大きな力が生じる。そこで、前記ウエイトボール６３が、前記マグネット６７に吸着されている場合は磁力を振り切って、また、前記マグネット６７に吸着されていない場合はそのまま抵抗無く、後方へ移動する。これにより、飛んでいく先の方へ重心が移動し、コントロール良く遠方へキャスティングできる。
リトリーブ時には、前記ルアー６００が縦揺れや横揺れするので、前記ウエイトボール６３が、後方から前方へころがって、前記マグネット６７に吸着される。これにより、前の方へ重心が移動するので、前記ルアー６００が、尾を振るような動きをし、魚を引きつける。
【０００６】
【発明が解決しようとする課題】
上記従来のルアー５００では、リトリーブ時の縦揺れや横揺れで、前記ウエイトボール５３が前記段差５２ａから飛び出して後方に移動し、重心が後方に戻ってしまい、前記ルアー５００の動きが芳しくなくなる問題点がある。
一方、上記従来のルアー６００では、磁力で吸着されない材料（例えば、タングステン）のウエイトボールを使用できない問題点がある。
そこで、本発明の目的は、リトリーブ時にウエイトボールを前方位置に確実に保持しうると共に磁石に吸着されない材料製のウエイトボールを使うことが出来るルアーを提供することにある。
【０００７】
【課題を解決するための手段】
第１の観点では、本発明は、外枠を構成するボディ（１）と、そのボディ（１）の内部空間である中空部（２）と、その中空部（２）内を前後移動することによって重心を変化させうるウエイトボール（３）と、前記中空部（２）の前端近傍に軸止された変形可能なリング（７）と、前記リング（７）の後方への回動を制限する止めピン（９）とを具備してなり、後方へ移動しようとする前記ウエイトボール（３）から加えられる力が小さければ前記止めピン（９）により後方への回動を阻止されたリング（７）が前記ウエイトボール（３）の後方への移動を阻止し、後方へ移動しようとする前記ウエイトボール（３）から加えられる力が大きければ前記ウエイトボール（３）と前記止めピン（９）の間で前記リング（７）が変形して前記ウエイトボール（３）を後方へ通過させ、前方へ移動しようとする前記ウエイトボール（３）から力が加えられれば前記リング（７）が前方へ回動して前記ウエイトボール（３）を前方へ通過させることを特徴とするルアー（１００）を提供する。
上記第１の観点によるルアー（１００）では、前記リング（７）は、前方へは自由に回動するが、後方へは前記止めピン（９）で回動しないようにされている。このため、前記ウエイトボール（３）は、前記リング（７）より前方へ自由に移動できるが、後方へは移動できない。但し、キャスティング時に前記ウエイトボール（３）が後方へ移動しようとする大きな力が働くと、前記リング（７）は変形するため、後方へは移動できるようになる。よって、キャスティング時には、前記ウエイトボール（３）が後方へ移動し、飛んでいく先の方へ重心を移動できる。また、リトリーブ時には、縦揺れや横揺れで、前記ウエイトボール（３）が前記リング（７）より前方へ一旦移動してしまうと、後方へは移動できなくなるので、前の方へ重心を移動できる。そして、リトリーブ時にウエイトボール（３）を前方位置に確実に保持できると共に、磁石に吸着されない材料製のウエイトボールを使うことも出来る。
【０００８】
第２の観点では、本発明は、上記第１の観点のルアー（１００）において、前記リング（７）が軟質合成樹脂製であり、前記ウエイトボール（３）がタングステン製であることを特徴とするルアー（１００）を提供する。
上記第２観点によるルアー（１００）では、軟質合成樹脂製のリング（７）を用いるので、安価に入手でき、耐久性もある。また、タングステン製のウエイトボール（３）をもちいるので、小さくても十分な重量が得られる。
【０００９】
【発明の実施の形態】
以下、図に示す実施の形態により本発明をさらに詳細に説明する。なお、これにより本発明が限定されるものではない。
【００１０】
図１は、本発明の一実施形態にかかるルアーの模式図である。
このルアー１００は、外枠を構成するボディ１と、そのボディ１の内部空間である中空部２と、その中空部２内を前後移動することによって重心を変化させうるウエイトボール３と、釣り針であるフック４と、水流抵抗板であるリップ５と、ラインを結ぶためのアイレット６ａと、前記フック４を付けるためのアイレット６ｂ，６ｃと、前記中空部２の前端近傍にピン８で軸止めされた変形可能なリング７と、そのリング７の後方への回動を制限する止めピン９と、前記ウエイトボール３の前方への移動範囲を決める前止め板１０ａと、前記ウエイトボール３の後方への移動範囲を決める後止め板１０ｂと、前記ウエイトボール３の前後移動を案内し且つ上方向への移動を阻止する軌道板１１とを具備している。なお、８αは、前記ピン８を支持する支持板である。
【００１１】
前記リング７は、キャスティング時に前記ウエイトボール３から受ける力により前記ウエイトボール３と前記止めピン９の間で変形し、前記ウエイトボール３を後方へ通過させ、通過後は元の形にもどる軟質合成樹脂製である。
また、前記ウエイトボール３は、比重が大きく、小さくても十分な重量を得られるタングステン製である。
【００１２】
図２の（ａ）は、図１の縦（前後方向）断面図である。
図２の（ｂ）は、図１の横断面図である。
【００１３】
図３に示すように、前記リング７は前記止めピン９で後方へ回動しないので、前記ウエイトボール３が前記リング７よりも前方の位置から後方へ移動しようとしたとき、前記リング７がつっかえて、後方へ移動できない。つまり、通常、前記ウエイトボール３は前記リング７よりも前方の位置にトラップされており、重心は前方位置にある。
【００１４】
図４に示すように、大きな力が加わると前記リング７は変形するので、キャスティング時には、前記ウエイトボール３が、前記リング７を変形させて、後方へ通過する。つまり、キャスティングにより前記ルアー１００が飛んでいく時、前記ウエイトボール３は前記リング７よりも後方へ移動して遠心力で後止め板１０ｂに押し付けられており、重心は後方位置にある。
【００１５】
図５に示すように、前記リング７は前方へは自由に回動するので、リトリーブ時の縦揺れや横揺れで、前記ウエイトボール３が、前記リング７を前方へ回動させて、前方へ通過する。前記ウエイトボール３が前記リング７より前方へ一旦移動してしまうと、前記図２の状態に戻り、後方へは移動できなくなる。
【００１６】
以上のルアー１００によれば、リトリーブ時に、前記ウエイトボール３を前方位置に確実に保持できる。また、磁石に吸着されないタングステン製のウエイトボール３を使うことが出来る。
【００１７】
【発明の効果】
本発明のルアー（１００）によれば、リトリーブ時にウエイトボール（３）を前方位置に確実に保持しうると共に磁石に吸着されない材料製のウエイトボール（３）を使うことが出来る。
【図面の簡単な説明】
【図１】本発明の一実施形態にかかるルアーの模式図である。
【図２】（ａ）は図１の縦断面図、（ｂ）は図１の横断面図である。
【図３】ウエイトボールの後方への移動をリングが阻止する状態を説明する断面図である。
【図４】ウエイトボールはリングを変形させて後方へ移動する状態を説明する断面図である。
【図５】ウエイトボールがリングを前方に回動させて前方へ移動する状態を説明する断面図である。
【図６】従来のルアーの一例の模式図である。
【図７】従来のルアーの他例の模式図である。
【符号の説明】
１                    ボディ
２                    中空部
３                    ウエイトボール
７                    リング
９                    止めピン
１００                ルアー
【図１】
0003806860.tif 000002
【図２】
0003806860.tif 000003
【図３】
0003806860.tif 000004
【図４】
0003806860.tif 000005
【図５】
0003806860.tif 000006
【図６】
0003806860.tif 000007
【図７】
0003806860.tif 000008